(57)【要約】ゴルフスイングの練習治具には、練習用把持部と連結した抗力コード或いは張力要素の２本が備わっている。前記抗力コードの１本は、練習者のバックスイング側の上部抗力領域まで延設し、他方の前記抗力コードは、練習者のバックスイング側の上部及び下部抗力領域の間に延設する。上部抗力領域からの前記コードは、バックスイング領域から下方に向かう練習用把持部の移動を抗し、上部及び下部抗力領域の間に延設する前記コードは、打点領域に入る把持部の横方向の移動に抵抗する。両コードによる組み合わせられた抗力は、把持部が打点領域に入るにつれ、著しく増加する。
2005517475.tif 000002
【特許請求の範囲】
【請求項１】
バックスイング領域から打点領域までのゴルフスイングをシミュレートして移動する把持部を利用するとともに、練習目的のための前記把持部の移動に抗するように接続される弾性的に可変する張力システムを具備するゴルフ練習治具であって、このゴルフ練習治具が、
ａ．前記張力システムが、前記把持部へ接続される端部を有する第１の張力要素を含み、
ｂ．前記張力要素が、前記把持部から、練習者のバックスイングに於ける練習者の肩部より上方に配される上部張力領域へと延設され、
ｃ．前記第１張力要素が、前記上部張力領域より下方に把持部の下方への移動に対する弾性抗力が生じるように配され、
ｄ．前記張力システムが、前記把持部への第２連結部を有するとともに、前記上部張力領域と、練習者のバックスイングに於ける練習者の腰よりも下方に配される下部張力領域との間に延設される第２張力要素を含み、
ｅ．前記第２張力要素の前記把持部への第２連結部が、前記上部及び下部張力領域間のラインから離れて打点領域への前記把持部の横方向移動に対して抗力が生じるように配され、
ｆ．前記第２張力要素が、上部張力領域より下方への前記把持部の移動に対してほとんど抗力が生じないように配され、
ｇ．前記張力システムに於ける前記第１及び第２張力要素の長さにより生じる結合抗力が、前記把持部が打点領域へと移動した場合に、最大となることを特徴とするゴルフ練習治具。
【請求項２】
前記張力要素の少なくとも１つが、伸長可能な弾性コードであることを特徴とする請求項１記載のゴルフ練習治具。
【請求項３】
前記伸長可能な弾性コードが、プーリに通されていることを特徴とする請求項２記載のゴルフ練習治具。
【請求項４】
前記第１張力要素が、前記第２張力要素から前記把持部へ延設されていることを特徴とする請求項１記載のゴルフ練習治具。
【請求項５】
前記第２張力要素の前記把持部への前記第２連結部が、前記把持部を固定する低摩擦要素を介して起こることを特徴とする請求項１記載のゴルフ練習治具。
【請求項６】
前記張力システムにより提供される抗力が、前記把持部が前記打点領域へと移動すると、水平よりも上方に幾分か角度を有していることを特徴とする請求項１記載のゴルフ練習治具。
【請求項７】
前記第１及び第２張力要素が、前記上部及び下部張力領域に於ける各固定されたプーリへ通され、且つ、伸長可能な弾性コードにより抗される移動可能なプーリの移動上へ通されるコードであることを特徴とする請求項１記載のゴルフ練習治具。
【請求項８】
バックスイング領域から湾曲を介し打点領域へと移動する練習用の把持部へ接続されるスイング抗力を提供するゴルフスイング練習治具であって、このゴルフスイング練習治具が、
ａ．前記スイング抗力が、弾性的に伸長するとともに、第１及び第２コードにより前記把持部へ接続され、
ｂ．前記第１コードが、前記把持部から、練習者の肩部よりも上方且つ練習者のバックスイング側に配される上部張力領域へ延設され、
ｃ．前記第２コードが、前記把持部から前記上部張力領域へ及び、前記把持部から練習者の腰よりも下方且つ練習者のバックスイング側に配される下部張力領域へ延設され、
ｄ．前記スイング抗力が、前記上部張力領域より下方への前記把持部の移動に対して支配的抗力を提供するために、前記第１コードを介して活動するように配され、
ｅ．前記スイング抗力が、前記上部及び下部張力領域から離れて前記打点領域への前記把持部の移動に対して支配的抗力を提供するために、前記第２コードを介して活動するように配され、
ｆ．前記第２コードの結合抗力が、前記把持部が前記打点領域に到達した場合に、最大となることを特徴とするゴルフスイング練習治具。
【請求項９】
前記コードの少なくとも１つが、弾性的に伸長可能であることを特徴とする請求項８記載のスイング練習治具。
【請求項１０】
前記第２コードを介して活動する前記スイング抗力が、前記把持部が打点領域に於ける場合において、水平に対して角度を有していることを特徴とする請求項８記載のスイング練習治具。
【請求項１１】
前記第２コードが、前記上部及び下部張力領域間に於けるループとして配される弾性的に伸長可能な素材により形成されていることを特徴とする請求項８記載のスイング練習治具。
【請求項１２】
前記ループの両端部が前記把持部に接続されるとともに、低摩擦要素が前記上部及び下部張力領域に於ける前記ループを補助することを特徴とする請求項１１記載のスイング練習治具。
【請求項１３】
前記ループは、弾性的に伸長可能なコードにより抗される移動可能なプーリの移動上に通されていることを特徴とする請求項１１記載のスイング練習治具。
【請求項１４】
前記第１及び第２コードが、上部及び下部張力領域に於ける各固定プーリへ通されるとともに、弾性的に伸長可能なコードにより抗される移動可能なプーリの移動上に通されていることを特徴とする請求項８記載のスイング練習治具。
【請求項１５】
前記弾性的に伸長可能な弾性コードが、固定プーリに通されていることを特徴とする請求項１４記載のスイング練習治具。
【請求項１６】
前記第２コードの前記把持部への前記連結部が、プーリを介していることを特徴とする請求項８記載のスイング練習治具。
【請求項１７】
ゴルフスイングをシミュレートするためにバックスイング領域から湾曲を介して打点領域へ移動する練習用の把持部に対して抗力を提供する方法であって、この方法が、
ａ．前記バックスイング領域から前記把持部の下方への移動に対して練習に効果的な抗力を提供するとともに、前記打点領域への前記把持部の横方向移動に対して練習に意味の無い抗力を提供するために、前記練習用の把持部のシャフト端部へ第１抗力が接続されるとともに、第１弾性コードを伸長するために前記第１抗力が配され、
ｂ．前記バックスイング領域からの下方への前記把持部の移動に対して練習に意味の無い抗力が提供されるとともに、前記打点領域への前記把持部の横方向移動に対して練習に効果的な抗力を提供するために、前記練習用の把持部の前記シャフト端部へ第２抗力が接続されるとともに、第２弾性コードを伸長するために前記第２抗力が配され、
ｃ．前記第１抗力が、前記バックスイング領域からの下方への前記把持部の移動に対して比較的に小さく、且つ、前記第２抗力が、前記打点領域への前記把持部の横方向移動に対して比較的に大きくなるために、前記第１及び第２弾性コードに対する抗力を選択し、
ｄ．前記把持部が前記打点領域へ移動する場合に、前記第１及び第２抗力が最大値となるように配されていることを特徴とする方法。
【請求項１８】
前記把持部から、練習者の肩部より上方且つ練習者のバックスイング側に配される第１抗力領域へ延設される前記第１抗力が配されていることを含む請求項１７記載の方法。
【請求項１９】
前記把持部から、練習者の肩部より上方且つ練習者のバックスイング側に配される第１抗力領域へ、及び、前記把持部から、練習者の腰より下方且つ練習者のバックスイング側に配される下部抗力領域へ延設される第２抗力が配されていることを含む請求項１７記載の方法。
【請求項２０】
把持部から延長するループを含むために第２抗力を形成することを含む請求項１９記載の方法。
【請求項２１】
移動可能プーリの移動に抵抗するための第１及び第２弾性コードを配置することを含む請求項１７記載の方法。
【請求項２２】
固定されたプーリ上で第１及び第２弾性コードを通すことを含む請求項２１記載の方法。
【請求項２３】
ａ．少なくとも１つの上部プーリが練習者の肩を超え、少なくとも１つの下部プーリが該練習者の腰を下回るために、練習者のバックスイング・サイドに配置される上部及び下部張力領域に配置されるプーリと、
ｂ．移動する把持部に接続される一端及び固定された位置で締められる他端を有する抗力コードと、
ｃ．バックスイング領域から把持部の下方への動きに抗するために上部プーリ上に通される抗力コードと、
ｄ．上部及び下部の張力領域から離れて打点領域へ、把持部の動きに抗するために上部プーリと下部プーリの間を延長するための移動する把持部のプーリに通される抗力コードと、
ｅ．弾性的な可変要素で抵抗する、少なくとも１つの移動可能プーリが移動する場合に通される抗力コードと、
からなるゴルフスイング練習治具。
【請求項２４】
コードが複数の移動可能プーリ上に通され、それぞれのプーリの動きは対応する複数の弾性的な可変コードで抵抗することを特徴とする請求項２３記載の運道治具。
【請求項２５】
弾性的な可変コードが固定プーリ上に通されることを特徴とする請求項２４記載の運道治具。
【請求項２６】
ａ．少なくとも１つの上部プーリが練習者の肩を超え、少なくとも１つの下部プーリが該練習者の腰を下回るために、練習者のバックスイング・サイドに配置される上部及び下部張力領域に配置されるプーリと、
ｂ．移動する把持部に接続される一端及び固定された位置で締められる他端を有する抗力コードと、
ｃ．バックスイング領域から把持部の下方への動きに抵抗するために上部プーリ上に通される第１抗力コードと、
ｄ．把持部に接続され、上部及び下部の張力領域から離れて打点領域へ移動する場合に、把持部の動きに抵抗するために上部プーリ及び下部プーリに通される両端を有する第２抵抗コードと、
ｅ．弾性的な可変コードで抗力提供する場合、少なくとも１つの移動可能プーリが移動する場合に通される各抗力コードと、
からなるゴルフスイング練習治具。
【請求項２７】
弾性的な可変コードが固定プーリ上に通されることを特徴とする請求項２６記載の運道治具。
【発明の詳細な説明】
【技術分野】
【０００１】
ゴルフのスイングモーションで用いられる筋肉を強化するための治具である。
【背景技術】
【０００２】
従来技術では、スイングをするスポーツを行う、特にゴルフクラブをスイングするための筋肉に必要とされる筋肉の強化の利点が認識されており、該従来技術において複数の提案がなされている。
これら提案は、様々な理由で問題があり、幅広く用いられているものはない。
【０００３】
ゴルフスイング練習治具において提案される特許の大部分は、スイング抵抗に適用され、スイングの間、固定された位置のままである。これは、米国特許第４,２２９,００２号、米国特許第４,２２９,００２号、米国特許第４,１３５,７１４号、米国特許第４,２５３,６６３号、米国特許第３,４６２,１５６号及び米国特許第３,９６６,２０３号に示されるように、スイングの間、抗力を効果的な方向に合わせることができない。
【０００４】
米国特許第５,０５０,８７４号及び米国特許第５,２８４,４６４号を含むその他２，３の特許は、スイングするにつれ、抗力が円弧に沿ってかかるように、中央のピボットにかけられるスイング抗力が提示される。
【０００５】
他の米国特許第５,２４２,３４４号は、スイング抵抗力のより複雑な動きを提示するが、該発明は、扱いにくく複雑な機械を必要とする。
【０００６】
本発明は、スイングに必要とされる力及び方向に効果的に適合する量及び方向で抗力を適用することにより、ゴルフスイングに用いられる筋肉の運動に適用可能であり特に適しているスイング練習治具を目的とする。
また本発明は、必要とされる装備をシンプルにし、不必要に高価な物とすることなく、スイングの運動が特に効果的に行うことができるようにする。
【０００７】
（要約）
本発明のスイング練習治具は、ゴルフスイングがバックスイング領域から打点領域へと複雑なカーブを数フィート描くので、ゴルフのスイングに特に適している。
本発明は、ゴルフスイングの相違する領域でゴルフクラブの前方へ効果的に抵抗するように方向付けられた抗力を適切に保つので、ゴルフの練習者が快適さを感じ、自然にスイング運動が可能となる。
【０００８】
ゴルフボールを打つ際に加えられる筋力の大部分は、打点領域へのスイング・アプローチに集中するので、本発明は、スイングのこの領域での増大した抗力に適用される。
これは、筋肉の働き、特にゴルフの把持部が打点領域に近づくにつれ抗力を高め、ゴルフスイングに力を適用するために必要な筋力を効果的に育う。
【０００９】
本発明のスイング練習治具は、上記利点を抗力システムで達成し、該システムは、ゴルフスイングの間の把持部の動きに対する、弾性的に可変の抗力に適用するために運動把持部に接続される２本の長いコード又は張力部材を用いる。
抗力要素又は張力要素の両方は、バックスイング領域からの把持部を下方への動き及び打点領域への前方への動きに対する抗力に適用するための練習治具のバックスイング側に配置される。
第１の張力要素は、練習者の肩以上の上部張力領域から、把持部の下側の動きに抵抗するため配置され、第２の張力要素は、把持部を打点領域へ前進する動きに抵抗するために、把持部から上部張力領域及び下部張力領域の両方へ延長する。
第１及び第２要素の結合した抗力は、好ましくは把持部が打点領域に入るにつれ最大になる。
【００１０】
（発明の詳細な説明）
図１及び図２に概略的に示されるように、ゴルフの練習者は把持部２５を振る。
把持部２５は、練習目的のためのゴルフスイングの複雑なカーブを通して、把持部２５の移動に効果的に抗するように、コード、もしくは張力要素が接続されたものである。
コード、張力要素及び効力システムは、以下に詳説することとし、図１及び図２の解説の目的は、ゴルフスイング練習治具と関連して、抵抗システムの位置を表示することにある。
【００１１】
本発明のゴルフスイング効力システム１０は、練習者のバックスイング側に配され、上部効力領域１１と下部効力領域１２を含む。
張力要素１４は、上部効力領域１１から把持部２５まで伸長される。もう一方の張力要素１５は、プーリと把持部２５上の低摩擦要素２６のいずれかを介して、通過している間、上部効力領域１１と下部効力領域１２の間に伸長される。
抵抗コード１４は、主に、図１に示されるバックスイング領域から、図２に示される低打点領域に至るまでの、把持部２５の下方向の動きに抗する。
効力要素１４は、また、図２に示されるように、把持部２５が打点領域を介した移動に対して、抗力を生じさせることができる。
抵抗コード１５は、図２に示されるように、主に、上部と下部の抵抗領域１１と１２から打点領域へ至るまでの把持部２５の移動に対して抗力を生じさせる。コード１５は、図１のバックスイング領域からの把持部２５の下方の移動に対しては、ほとんど抗力を生じない。
【００１２】
コード１４とコード１５とを合わせた効力は、把持部２５が接近した時に最大となり、打点領域を介した把持部２５の移動における練習者による最大筋力が得られるよう、把持部２５が図２の打点領域を通過する。
効力要素コード１４と１５とを組み合わせる効果は、練習者がゴルフスイングに使われる筋肉を強化することができるよう、練習者がゴルフスイングのカーブを通して実際に把持部２５をスイングすること、及び、それぞれのスイングの増大に沿って適度な抗力を供給すること、により決定される。
それぞれの張力要素１４及び１５は、ゴルフのスイングに対し一定の抗力を供給することができるが、張力要素１４及び１５の双方を合わせた効果は、スイング練習中に克服すべき抗力を最適化するのに必要となる。
下方の抗力は、クラブヘッドを打点領域へと動かす筋肉を強化する為、また横方向の抗力は打点領域を介して、クラブヘッドを前方へと動かす筋肉を強化する為、必要となる。
【００１３】
図３は、把持部２５がゴルフスイングのカーブ２０の破線に沿って移動する際の、張力要素１４の効力作用を図示したものである。
コード１４は、上部効力領域１１から上部バックスイング領域にある把持部２５へ延伸するとき、最短となる。そして、把持部２５がカーブ２０に沿って中間スイング領域まで下方移動するにつれ、張力コード１４は、下方への把持部の移動に対する効力を供給する為、延伸する。
把持部２５が、スイングカーブ２０の下端において、打点領域へと移動するにつれ、張力要素１４は、更に延伸する。
【００１４】
張力要素１５は、図４で示されるように、上部抵抗領域１１と下部抵抗領域１２との間、および把持部２５上のプーリ、もしくは低摩擦領域２６にまで、延伸する。
把持部２５が、後方スイング位置から中間スイング位置まで、移動するにつれ、コード１５は、プーリ２６を回転させ、そのような下方向への移動に対する効力をほとんど生じさせないよう、延伸される。
把持部２５が、スイングカーブ２０の下端に見られる打点領域へと進むにつれ、上部及び下部抵抗領域１１及び１２から出て行く把持部２５の動きの為、張力要素１５は、相当程度延伸する。
このことは、打点領域を介して把持部２５からゴルフショット筋力の強化を要する為、張力要素１５が打点領域を介して把持部２５の動きに対し、強い効力を供給することを可能とする。
【００１５】
効力コード１４及び１５とを組み合わせた効果は、バックスイング領域から下方へと移動する把持部に効力を供給する。そして、徐々に、打点領域への把持部２５の移動に対する効力を増大させる。
コード１４と１５により供給される効力に対して、スイングカーブ２０に沿って、把持部２５を繰り返し振ることは、練習者のゴルフショットの筋力を強化し、且つ、ゴルフショットの技術も向上させる。
【００１６】
図５Ａ及び図５Ｂは、好適な実施形態の１例を示す。該実施形態は、図５Ａではバックスイング位置、図５Ｂでは打点位置における、上述した把持部２５の機能を遂行する為、決定されたものである。
上部抵抗領域１１は、２つの固定化プーリ２１及び３１を配し、下部抵抗領域１２は、他方の固定化プーリの組、２２及び３２を配する。
張力要素１４は、例えば、プーリ３１及び３２上の把持部２５の固定連結部から、プーリ２１上の上部張力領域１１に固定された反対側の端１７まで、延伸する。
コード１４は弾性伸縮部材から成る。弾性伸縮部材とは、例えば、ブンジー（bungie）コード、又は伸縮可能なチューブなどのような、伸縮に対する効力を有し、且つ、伸張状態から伸縮することが出来るものをいう。
図５Ａのバックスイング位置から図５Ｂの打点位置まで、把持部２５が移動するにつれ、コード又はチューブ１４は、把持部２５の移動に対する効力を供給する為、該チューブ１４がプーリ３１及び３２に巻き付き、延伸する。
【００１７】
張力コード１５は、固定化プーリ２１と２２上、そして把持部２５により移動されるプーリ２６を通して、連続したループとして形成される。
コード１５は、また弾性要素、もしくは、把持部２５がバックスイングから打点位置まで移動する際、抵抗しながら延伸するチューブにより形成される。
コード１４及び１５とを組み合わせた効力は、図５Ｂの打点領域を通して移動する際、最大となる。
【００１８】
図６は、上部抵抗領域１１における単一の固定プーリ２１と下部抵抗領域１２における単一の固定プーリ２２を使用する、１つの好適な実施形態を概略的に示したものである。
該実施例はまた、上部プーリ２１における張力コード１４として延伸する為に、１６の地点において把持部２５に連結された一端を有する、単一の抵抗コード１８を使用する。
上部プーリ２１を回転させた後、弾性コードは、把持部２５上のプーリ２６の後方にあるプーリ２１から下部抵抗領域プーリ２２まで延伸する、張力要素１５として作用し、上部プーリ２１における固定端１７を支持する。
プーリ２１からプーリ２６、そしてプーリ２２までの弾性要素の延伸は、上記の張力コード１５の機能を供給する。
コード１８は、先に述べた効力機能を実施する為、コード１４及び１５の伸張効力に必要となる弾性度を供給する。
図６の実施形態は、単一のコードと最小数のプーリで、これら全てを実施する利点を有する。
【００１９】
図７の実施例は、把持部２５において１つの固定プーリ２１と移動可能なプーリ２６のさらに簡易化された使用を示している。弾性的に伸縮する抗力コード１４は、把持部２５に固定された端１６からプーリ２１を通った後、下方に向かい下部抗力領域の固定連結部１９まで伸長する。抗力コード１５は、プーリ２１の固定連結部１７からプーリ２６を通った後、下方に向かい下部抗力領域１２の同連結部１９まで伸長する。本実施例においては、プーリの数を節約できる。抗力コード１５は、通常より短い伸縮性長さであり、該効力コード１５として弾性物質が選択される必要がある。コード１４及び１５は前記の他の実施例と同じように機能する。
【００２０】
図８の実施例は、非弾性コードと弾性的に変形可能な張力要素を組み合わせて利用されることを概略的に示す。その実施例においては、コード１４及び１５の両方の機能を提供するため本質的には非弾性或いはそれほど伸縮しない１本のコード１８が利用される。コード１４は、把持部２５に固定された端１６から、上部に向かい固定プーリ３１を通った後、下方へ向かい、移動可能なプーリ３８を通った後、再び上部へ進み固定プーリ２１まで伸長する。張力コード１５は、プーリ２１から、下方へ向かい把持部２６へ、さらに下方へ固定プーリ２２を通った後、上方へ向かい、移動可能なプーリ４２を通り、さらに下方へ進み固定端４３まで延びる。移動可能なプーリ３０及び４０の移動は、各弾性抗力要素３５及び３６によって抗される。
これらは、延長弾性或いは、弾性体のコード或いチューブである。該チューブの伸長は、必要な抗力をシステム１０に提供する。弾性的に変形可能な要素３５は、破線で示すが、固定端３７から、固定プーリ３２を通った後、上方へ向かい、移動可能なプーリ３８に連結された反対側の端３９まで伸長する。類似の方法で、弾性的に延長可能な要素３６は、同様に破線で示すが、固定端３４から上方へ向かい、固定プーリ４４を通った後、下方へ進み、移動可能なプーリ４２と連結された反対側の端４５まで伸長する。プーリ３８及び４２の移動は、両方向の矢印によって示す。
【００２１】
把持部２５が、スイング運動で湾曲を描いて動く時、張力要素１４及び１５は、把持部の移動に沿って動き、その動きは、必要なスイング抗力を提供するために必然的に弾性要素３５及び３６を延長する。この場合においても、把持部２５が打点領域を通過する時、抗力は最大となる。
【００２２】
図９の実施例は、非弾性コードと弾性的に伸縮可能なコードとを組み合わせたもう１つの有用性を示す。本実施例は、練習用把持部２５を含む。該把持部２５は主に下方に向かう抗力を提供する非弾性コード１４及び主に水平方向の抗力を提供するコード１５とを連結する。コード１４は、把持部２５に固定された端１６から、上方へ向かい固定プーリ５１を通った後、下方へ向かい移動可能なプーリ５２を通り、更に上方へ進み固定端５３へ伸長する。
プーリ５２の移動は、プーリ５２に連結され、固定プーリ５６に通され、上方に向かって固定端５７まで伸長する弾性的に伸縮可能なコード５５によって抗される。把持部２５が、バックスイングあるいは、固定プーリ５１の付近にある上部張力領域から、下方に向かって動く時、コード１４は、移動可能なプーリ５２において、上方へ引っ張られ、また、弾性コード５５は、その下方に向かう移動を抗するために伸縮される。
【００２３】
非弾性コード１５は、好ましくは点６０で、両端が把持部２５に連結されたループとして形成される。把持部からコード１５の上方部分は、固定上部プーリ６１まで到達し、該コード１５は、下方に向かって移動可能なプーリ６２へ、さらに上方へ戻り、固定プーリ６３へ、さらに下方へ向かって固定下部プーリ６４へ伸長し下方部分に到達した後、把持部２５の連結部６０への戻るように伸長する。
把持部２５がバックスイング領域から下方へ向かって動く時、コード１５は、移動可能なプーリ６２を比較的小さめに持ち上げる。把持部２５が固定プーリ６１及び６４によって起こされる上部及び下部張力領域から離れて、横方向に動く時、把持部２５が打点領域に近づくにつれてコード１５は、移動可能なプーリ６２においてさらに引っ張られる。弾性的に伸縮可能なコード６５は、固定端６７から下方へ向かい固定プーリ６６を通って、さらに上方の移動可能なプーリ６２まで伸長することにより、プーリ６２の移動を抗する。
【００２４】
図９の配列は、バックスイング領域から下方に向かう把持部の移動を弱く抗し、打点領域に向かう把持部の水平方向の移動を強く抗するための適切な力学的利点及び弾性コード抗力を提供する。これは、ゴルフスイングに使う筋肉のための動き方用練習に適している。
【００２５】
実施例は、上部と下部の弾性領域の間を伸長される張力コード１４及び１５を使用する様々な可能性のほんの少しの部分を示したにすぎない。コードの固定端は、多くの異なる位置に固定されることができ、弾性的に変形可能なコードと張力要素は、無限に組み合わせて利用される。プーリの数は、任意に決められ、あらゆる違った方法で、配置することができる。２つの張力要素のための上部抗力領域は、一致する必要がなく、異なった位置に置かれる。
【００２６】
すべての実行可能な実施例は、練習者のバックスイング側においては、上部抗力領域から下方に向かう把持部の移動に抗力を与え、また、上部及び下部抗力領域の間を伸長する抗力要素は、抗力領域から離れてスイング湾曲が打点領域へ入る時の把持部の横方向の移動に対して抗力を与えるという基本原理に基づいている。
【図面の簡単な説明】
【００２７】
【図１】バックスイング位置で用いられる本発明のゴルフ練習治具の好適な実施形態の部分的な概略図を示す。
【図２】打点領域で用いられる本発明のゴルフ練習治具の好適な実施形態の部分的な概略図を示す。
【図３】ゴルフ道具の把持部から上部抗力領域へ延長する、抗力コード・ラインで示される、本発明の練習治具の使用により生じる、おおよその力及び方向の略図である。
【図４】ゴルフ道具の把持部から上部及び下部の抗力領域へ延長する、抗力コード・ラインで表される、本発明の練習治具の使用により生じる、おおよその力及び方向の略図である。
【図５Ａ】張力コード及び弾性的な可変要素を用いる本発明の練習治具の好適な実施形態を概略的に示す。
【図５Ｂ】張力コード及び弾性的な可変要素を用いる本発明の練習治具の好適な実施形態を概略的に示す。
【図６】張力コード及び弾性的な可変要素を用いる本発明の練習治具の好適な実施形態を概略的に示す。
【図７】張力コード及び弾性的な可変要素を用いる本発明の練習治具の好適な実施形態を概略的に示す。
【図８】張力コード及び弾性的な可変要素を用いる本発明の練習治具の好適な実施形態を概略的に示す。
【図９】張力コード及び弾性的な可変要素を用いる本発明の練習治具の好適な実施形態を概略的に示す。
【図１】
2005517475.tif 000003
【図２】
2005517475.tif 000004
【図３】
2005517475.tif 000005
【図４】
2005517475.tif 000006
【図５Ａ】
2005517475.tif 000007
【図５Ｂ】
2005517475.tif 000008
【図６】
2005517475.tif 000009
【図７】
2005517475.tif 000010
【図８】
2005517475.tif 000011
【図９】
2005517475.tif 000012
【国際調査報告】
2005517475.tif 000013